(57)【要約】【課題】本発明は台紙と透明ケースとをヒートシーラー等を使用せずに簡単に組立構成することが出来、かつ収納商品を容易に取出すことが出来、さらに台紙の打抜片を利用することによって強度と印刷効果を挙げ、しかも廃棄する際に、紙材とプラスチック材とを簡単に分離した上で廃棄することが出来る展示容器を目的とする。【解決手段】底部に開口部１２を有しかつその開口部１２の周りにフランジ１３を有し、さらに収納部１１ａに商品を収納し得る透明ケース１１と、この透明ケース１１の収納部１１ａを挿入し得る切溝５を有する表板３と裏板４とよりなる台紙１との組合せからなり、該切溝５内に印刷９が施された打抜片６が折曲自在に設けられて構成された展示容器である。【選択図】　　　　図１
2004051194.tif 000002
【特許請求の範囲】
【請求項１】
商品を収納し得る透明ケースと該透明ケースを固定し得る台紙との組合わせよりなる容器に於て、前記台紙は表板と裏板とが折曲線を介して連設されており、かつ該表板には前記透明ケースを挿入し得る切溝が穿設されると共に該切溝内に透明ケースの開口部に当接し得る打抜片が折曲自在に設けられており、さらに前記表板と裏板との片面所定部分に夫々相互に接触された場合のみに粘着し得る糊が塗着されて構成されていることを特徴とした展示容器。
【発明の詳細な説明】
【０００１】
【発明の属する技術分野】
本発明は、商品を収納し得る透明ケースとこの透明ケースを一体的に固定し得る台紙との組合せに係り、特に該台紙を折曲線を介して連設された表板と裏板とで形成し、かつ該表板に設けた切溝内に透明ケースの開口部に当接し得る打抜片を折曲自在に連設し、さらに表板と裏板との対応する片面に相互に当接された場合のみに粘着し得る糊を塗着して構成した展示容器に関するものである。
【０００２】
【従来の技術】
従来のこの種の透明ケースと台紙とを組合わせて構成した展示用容器としては、一般的にブリスター・パック（ｂｌｉｓｔｅｒ　ｐａｃｋ）が知られている。
【０００３】
このブリスター・パックは、厚紙で形成された台紙の上に所定の商品を載置し、かつこの商品とに透明硬質プラスチックカバーを被覆し、この状態で所定の高温度を有する加熱トンネル内を通過することによって、透明硬質プラスチックカバーを台紙に一体的に固着するようにした展示容器である。
【０００４】
然るに、前述のブリスター・パックは、商品のみならず台紙の表面全体を被覆するような大きな硬質プラスチックカバーを必要とすると共に、製造に当っては特殊な加熱トンネルを通過させなければならないので、極めてコスト高になる問題があった。
【０００５】
また、容器の表面全体を覆う硬質プラスチックカバーには、印刷が困難であったために、収納した商品の特徴、使用方法等の商品の説明を体裁良く表示することが出来ない問題があった。かつ、前記硬質プラスチックカバーは台紙の表面に完全に固着されているので、鋏等を使用しなければ、この中から商品を簡単に取り出すことが出来ない問題があった。さらに、使用後に容器を廃棄する場合には、硬質プラスチックカバーと台紙とを完全に分離して廃棄することが困難である問題もあった。
【０００６】
前述の従来の問題点を解決するために、最近になって、例えば特開２００１−１５１２７０号公報に示すような技術が開発されている。この技術は、台紙を表板と裏板とを折曲線を介して連設し、表板に窓を設け、この窓内に透明プラスチック容器を嵌入し、さらに表板と裏板とに夫々ヒートシール接着剤を塗着し、組立時にヒートシーラーを用いて表板と裏板とを相互に熱接着して組立てるようにした構造である。
【０００７】
【発明が解決しようとする課題】
前述の特開２００１−１５１２７０号公報の技術は、台紙の表板に窓を設けるために、表板の窓内部分を完全に切除する必要があり、従って、この部分は空白となるので印刷を施すことが出来ず、しかも窓のスペースが大きい場合には、表板の強度が阻害される等の問題があった。
【０００８】
さらに、前述の特開２００１−１５１２７０号公報の技術は、台紙の表板及び裏板に夫々ヒートシール接着剤を塗着する方式であるので、商品を収納した透明プラスチックケースを台紙に取付け固定する場合には、ヒートシーラーが必要となり、ヒートシーラーの設備がない場所、特に小規模な作業場では組立作業が困難である問題があった。
【０００９】
また、前述のように、ヒートシール接着剤を用いてヒートシーラーで透明プラスチックケースを台紙に取付けた場合には、容器を廃棄する際に、台紙と透明プラスチックケースとを夫々別々に分離して廃棄することが困難である問題もあった。
【００１０】
本発明に係る展示容器は、前述の従来の多くの問題点に鑑み開発された全く新しい技術であって、特に台紙を表板と裏板とで形成し、表板に透明ケースを挿入し得る切溝を設けると共に該切溝内に打抜片を折曲自在に連設し、さらに前記台紙の表板と裏板との対応する片面に夫々相互に接触させた場合のみ貼着し得る糊を塗着して構成した全く新しい展示容器の技術を提供するものである。
【００１１】
【課題を解決するための手段】
本発明に係る展示容器は、前述の従来の問題点を根本的に改善した全く新しい技術であって、その発明の要旨は、商品を収納し得る透明ケースと該透明ケースを固定し得る台紙との組合わせよりなる容器に於て、前記台紙は表板と裏板とが折曲線を介して連設されており、かつ該表板には前記透明ケースを挿入し得る切溝が穿設されると共に該切溝内に透明ケースの開口部に当接し得る打抜片が折曲自在に設けられており、さらに前記表板と裏板との片面所定部分に夫々相互に接触された場合のみに粘着し得る糊が塗着されて構成されていることを特徴とした展示容器である。
【００１２】
本発明に於ては、前述のように台紙の表板に切溝を穿設すると共に、該切溝内に打抜片を折曲自在に連設したので、該切溝内に透明ケースを嵌入した際に、前記打抜片を透明ケースの開口部に挿入或は当接することが出来る。
【００１３】
従って、表板の切溝内の打抜部分を積極的に利用して、透明ケースの開口部（底部）及びその周りの台紙を補強すると共に、表板の切溝内に挿入された透明ケースを切溝淵と打抜片とを挟持して安定させることが出来、さらに透明ケース内に収納した商品の底部の周りにも美麗な印刷を表示することが出来る。
【００１４】
また、台紙の表板と裏板とには、相互に接触させることによって接合し得る糊が設けられているので、従来の如く、プラスチックを収縮させるための加熱トンネルやヒートシーラー等の特殊な装置を全く不要とし、単に手作業のみで台紙と透明ケースとを組立てることが出来る。さらに、本発明の展示容器は、廃棄に当って透明ケースと台紙とを簡単に分離して廃棄することが出来る。
【００１５】
【発明の実施の形態】
図により本発明に係る展示容器の一実施例を具体的に説明すると、図１は本発明に係る展示容器の台紙の展開平面表面図、図２は図１の表面図、図３は台紙と透明ケースとを組立てる途中の斜視図、図４は組立完成後の説明図である。
【００１６】
図１乃至図４に於いて、１は厚紙製の台紙であって、折曲線２を介して、表板３と裏板４とが連設されている。該表板３の所定位置には、後述の透明ケースを挿入して露出し得る所定の形状を持った切溝５が穿設されている。そしてこの切溝５の内側には打抜片６が設けられ、かつこの打抜片６は折曲線２を介して裏板４に折曲自在に連設されている。
【００１７】
前記裏板４には、前記切溝５と対応する位置に、かつほぼ類似する形状を持った引裂用の切目線７が穿設されている。また、前記表板３と裏板４との端縁部には夫々吊下穴８が穿設されている。
【００１８】
前記表板３の片面（表面）には斜線で表示するような印刷９が全面的に施されている。さらに、前記表板３と裏板４との夫々対応する片面（裏面）には、相互に接触された場合のみに粘着し得る糊（天然ゴム変性樹脂を主成分とした一般的に瞬間糊と呼ばれている糊）１０が所定部分に塗着されている。
【００１９】
１１は透明ケースであって、プラスチックシートを真空成形することによって下部に開口部１２を有する透明のケースが形成されている。この開口部１１の周りにはフランジ１３が設けられている。
【００２０】
該透明ケース１１は内部に所定の商品（図示せず）を収納することが出来、かつその商品の収納部１１ａは、前記表板３の切溝５内に挿入して、表板３の表側に露出して突出し得るように形成されている。
【００２１】
本発明に係る容器の組立構成に当っては、透明ケース１１の収納部１１ａに商品を収納する。一方で台紙１の表板３に設けられた打抜片６を折曲線２で折り曲げながら、特に図３に示す如く、裏板４に貼着する。
【００２２】
次に、打抜片６を折曲て除去した切溝５内に透明ケース１１の収納部１１ａを嵌入し、この状態で表板３と裏板４とを折曲線２で折り曲げながら、両者を糊１０を介して相互に貼着する。前板３と裏板４とを貼着することによって、図４に示す如く、透明ケース１１のフランジ１３を表板３と裏板４とで上下方向から挟持する。
【００２３】
また、裏板４に貼着された打抜片６を透明ケース１１の開口部１２内に挿入することによって、透明ケース１１の収納部１１ａの下部、即ち前記フランジ１３の付根部分を表板３の切溝５の内側縁と打抜片６の外周縁とで左右方向から挟持する。
【００２４】
従って、透明ケース１１は、そのフランジ１３が表板３と裏板４とで挟持され、かつフランジ１３の付根部が切溝５の内側縁と打抜片６の外側縁で挟持されるので、透明ケース１１を台紙１に安定した状態で強固に取付けることが出来る。
【００２５】
また、本発明に於ては、表板３の打抜片６を捨てずに、この打抜片６を一旦裏板４に折曲げて貼着し、組立てた際に打抜片６を透明ケース１１の開口部１２に挿入するようにしたので、前述のように、透明ケース１１を安定した状態で台紙１に強固に取付けることが出来る。かつ、打抜片６が切溝５内に再度挿入されるので、従来のように打抜片を切除した場合と異なり、この部分及び台紙１の全体の強度を大きくすることが出来る。
【００２６】
さらに、表板３の表面に施された印刷９が、打抜片６の表面にもそのまま表示されているので、本発明の展示容器を組立てた場合には、打抜片６の印刷９が施された面が透明ケース１１の開口部１２に挿入されて表示されているので、透明ケース１１を透してこの印刷９を表示することが出来、これによって透明ケース１１内に収納された商品を飾り立てることが出来る。
【００２７】
本発明の容器に於ては、前述のように台紙１の表板３と裏板４との片面に夫々相互に接触した場合のみに粘着し得る糊１０が塗着されているので、台紙１に透明ケース１１を取付けて組立てる場合には、ヒートシーラー等の特別の設備は一切不要であって、作業者が手作業で簡単に組立てることが出来る。従って、多品種少量の商品の場合等にも有効に対応することが出来る。
【００２８】
また、本発明の容器は、前述のような相互に接触した場合のみに粘着し得る糊１０を用いて透明ケース１１を台紙１に取付けて組立構成したので、使用後に容器を廃棄する場合には、台紙１と透明ケース１１とを簡単に分離して、夫々を別々に廃棄することも出来る。
【００２９】
【発明の効果】
本発明に於て、前述のように台紙の表板に切溝を穿設すると共に、該切溝内に打抜片を折曲自在に連設した場合には、該切溝内に透明ケースを嵌入した際に、前記打抜片を透明ケースの開口部に挿入或は当接することが出来る効果を有している。
【００３０】
従って、表板の打抜部分を積極的に利用して、透明ケースの開口部（底部）及びその周りの台紙を補強すると共に、表板の切溝内に挿入された透明ケースを切溝淵と打抜片とを挟持して安定させることが出来、さらに透明ケース内に収納した商品の底部の周りにも美麗な印刷を表示することが出来る効果も有している。
【００３１】
また、台紙の表板と裏板とには、相互に接触させることによって接合し得る糊が設けられているので、従来の如く、プラスチックを収縮させるための加熱トンネルやヒートシーラー等の特殊な装置を全く不要とし、単に手作業のみで台紙と透明ケースとを組立てることが出来る効果を有する。さらに、本発明の展示容器は、廃棄に当って透明ケースと台紙とを簡単に分離して廃棄することが出来る効果も有している。
【図面の簡単な説明】
【図１】本発明に係る展示容器の台紙の展開平面表面図である。
【図２】図１の表面図である。
【図３】台紙と透明ケースとを組立てる途中の斜視図である。
【図４】組立完成後の説明図である。
【符号の説明】
１　　　　　…台紙
２　　　　　…折曲線
３　　　　　…表板
４　　　　　…裏板
５　　　　　…切溝
６　　　　　…打抜片
７　　　　　…切目線
８　　　　　…吊下穴
９　　　　　…印刷
１０　　…糊
１１　　　…透明ケース
１１ａ　…収納部
１２　　　…開口部
１３　　…フランジ
【図１】
2004051194.tif 000003
【図２】
2004051194.tif 000004
【図３】
2004051194.tif 000005
【図４】
2004051194.tif 000006